(57)【要約】【課題】自由に回転するボールを備えた回転式ボールマッサージ盤の提供。【解決手段】本考案の回転式ボールマッサージ盤は、相対する第一表面と第二表面を備えた盤体と、複数のボールと、回転軸を含み、前記盤体の第一表面に複数の収容部が設けられ、各収容部は最小径幅を有し、且つ、少なくとも１つの開口部を備え、前記開口部の直径は前記収容部の最小径幅より小さいものとし、前記第二表面に連結部が設けられ、前記複数のボールは直径が前記収容部の最小径幅と開口部の直径の間であるものとし、前記ボールが前記盤体の収容部内に対応して設置され、前記ボールの一部が前記開口部から露出されると共に、前記回転軸は前記盤体の連結部に連結され、盤体が回転軸に沿って回転される。【選択図】図１
0003126781.tif 000002
【実用新案登録請求の範囲】
【請求項１】
盤体、複数のボール、回転軸を含み、そのうち、前記盤体が相対する第一表面と第二表面を備え、前記第一表面に複数の収容部が設けられ、各収容部は最小径幅を有し、且つ少なくとも１つの開口部を備え、前記開口部の直径は前記収容部の最小径幅より小さいものとし、前記第二表面に連結部が設けられ、前記複数のボールはその直径が前記収容部の最小径幅と開口部の直径の間であり、前記盤体の収容部内に対応して設置され、且つ、前記ボールの一部が前記開口部から露出されると共に、前記回転軸は前記盤体の連結部に連結され、前記盤体が前記回転軸に沿って回動される、回転式ボールマッサージ盤。      
【請求項２】
前記連結部が前記盤体の第二表面の中心に位置する、請求項１に記載の回転式ボールマッサージ盤。
【請求項３】
前記連結部が前記盤体の第二表面に偏心して位置する、請求項１に記載の回転式ボールマッサージ盤。       
【請求項４】
前記収容部が開口部に向いた少なくとも１つのスリットを備え、且つ、前記スリットが開口部まで延伸された、請求項１に記載の回転式ボールマッサージ盤。
【請求項５】
前記収容部に別途組立口が設けられ、前記組立口が封鎖部材で封鎖される、請求項１に記載の回転式ボールマッサージ盤。
【考案の詳細な説明】
【技術分野】
【０００１】
本考案は回転式ボールマッサージ盤に関し、詳細には、座体の複数の収容部内にそれぞれボールを設置し、それらボールが自由に回転してマッサージを行ない、快適なマッサージの効果が得られる、回転式ボールマッサージ盤に関する。
【背景技術】
【０００２】
現代人は緊張した生活を送っており、仕事が忙しいため、往々にしてマッサージ器材の力を借り、マッサージ方式で疲労を回復しようとするが、よく見受けられる手動マッサージ器または電動マッサージ器は、どの多くがマッサージ用の突起を備えており、この突起は固定式であり、いかなる回動もできないため、人体を上下前後左右に移動してマッサージを行なうとき、突起が人体との間で滑動し摩擦が起きるため、不適切な施力やマッサージ時間が長すぎると、肌や筋肉の痛みやさらには皮膚の損傷などを起こすため、使用上理想的とはいえない。
【０００３】
現在、別にローラー式マッサージ器があるが、このマッサージ器におけるローラーの回転方式が単一方向(ローラーの軸心に沿った回転)のみであるため、このローラーを利用して人体に接触させマッサージを行なうとき、マッサージの経路とローラーの回転方向が異なる場合にローラーと人体間に滑動による摩擦が起きるため、やはり上述の固定式突起と同様に実施時の欠点があり、使用上理想的ではない。
【考案の開示】
【考案が解決しようとする課題】
【０００４】
従来のマッサージ器材のマッサージ突起が使用上回転方向上の制限がある点に鑑みて、本考案の目的は、自由に回転するボールを備えた回転式ボールマッサージ盤を提供することにある。        
【課題を解決するための手段】
【０００５】
本考案の回転式ボールマッサージ盤は、相対する第一表面と第二表面を備えた盤体と、複数のボールと、回転軸を含み、前記盤体の第一表面に複数の収容部が設けられ、各収容部は最小径幅を有し、且つ、少なくとも１つの開口部を備え、前記開口部の直径は前記収容部の最小径幅より小さいものとし、前記第二表面に連結部が設けられ、前記複数のボールは直径が前記収容部の最小径幅と開口部の直径の間であるものとし、前記ボールが前記盤体の収容部内に対応して設置され、前記ボールの一部が前記開口部から露出されると共に、前記回転軸は前記盤体の連結部に連結され、盤体が回転軸に沿って回転される。
【０００６】
上述の連結部は盤体の第二表面の中心位置に設置される。
【０００７】
上述の連結部は盤体の第二表面の偏心位置に設置される。
【０００８】
上述の収容部は開口部に向いた少なくとも１つのスリットを備え、且つ、このスリットが開口部まで延伸される。
【０００９】
上述の収容部はさらに組立口が設けられ、この組立口は封鎖部材により封閉される。        
【考案の効果】
【００１０】
本考案には次のような利点がある。
１．盤体に複数の自在な回転可能なボールが設置されており、盤体を回転させてマッサージを行なうとき、各ボールが収容部内でそれぞれ回転し、人体との間でローラー式の接触が形成されるため、マッサージの触感が優れている。
２．ボールの回転には方向性がなく、盤体が回転状態下にあるとき人体に対して前後左右任意の方向に移動し、マッサージを受ける筋肉と接触する皮膚共に引っ張られる感覚を与えず、使用者の皮膚の損傷や筋肉の不快感を防ぐことができる。        
【実施例１】
【００１１】
まず、図１及び図２に示すように、本考案は主に盤体１、ボール２及び回転軸３を含む。
【００１２】
そのうち、前記盤体１は相対する第一表面１１と第二表面１２を備え、第一表面１１上に複数の収容部１３が設けられ、各収容部１３は最小径幅aを有し、且つ、各収容部１３は少なくとも１つの開口部１４を備え、この開口部の直径ｂは上述の収容部１３の最小径幅aより小さいものとし、また、収容部１３は開口部１４に向かう少なくとも１つのスリット１５が設けられ、前記スリット１５は開口部１４まで延伸され、さらに、盤体１の第二表面１２上のある部位〔中心点または偏心点の位置〕に連結部１６が設置される。
【００１３】
前記複数のボール２は、盤体１の収容部１３内に設置され、各ボール２の直径は前述の収容部１３の最小径幅aと開口部直径ｂの間とし、ボール２を盤体１の収容部１３内に対応させて設置するとき、収容部１３上のスリット１５が押し開かれる作用を利用し、ボール２が収容部１３内に位置決めされ、且つ、ボール２の一部が収容部１３の開口部１４から露出される。
【００１４】
前記回転軸３は、盤体１の連結部１６内に連結され、盤体１を回転軸３に沿って回転させることができる。
【００１５】
使用時には、図２及び図３に示すように、盤体１上の回転軸３に動力源を入力して回転させるが、この動力源は機械力または人力とすることができる。盤体１が回転するとき、収容部１３外部に露出されたボール２が使用者のマッサージを受ける部位に接触し、ボール２が収容部１３内で自由に回転する。盤体１が回転状態下で人体に対し前後左右の単方向または複合方向の移動をするとき、各ボール２が自由な回転状態を保ちながら人体に接触するため、マッサージ時の抵抗力が減少され、マッサージを受ける筋肉の不快感や皮膚の損傷を防ぎ、マッサージをより快適にすることができる。
【実施例２】
【００１６】
また、本考案の実施例２は、図４及び図５に示すように、前記盤体４は相対する第一表面４１と第二表面４２を備え、第一表面４１上に複数の収容部４３が設けられ、各収容部４３は最小径幅a1を有し、且つ、各収容部４３は少なくとも１つの開口部４４を備え、この開口部の直径ｂ1は上述の収容部４３の最小径幅a1より小さいものとし、また盤体４の第二表面４２上に収容部４３に相対する位置に別途組立口４５が設けられ、ボール５がこの組立口４５から収容部４３内に組み込まれ、さらにこの組立口４５が封鎖部材４６により封閉され、前記封鎖部材４６底部には低摩擦力の位置決め突起４７が設けられ、この位置決め突起４７の端面４８は弧形を呈し、ボール５を収容部４３内に位置決めすると共に、ボール５の回転を妨げないようにする。また、盤体４の第二表面４２上には連結部４９が設けられ、回転軸６が連結される。
【図面の簡単な説明】
【００１７】
【図１】本考案の立体分解図である。
【図２】本考案の側面断面図である。
【図３】本考案のボールの盤体上の位置を示す平面図である。
【図４】本考案の実施例２の立体分解図である。
【図５】本考案の実施例２側面断面図である。
【符号の説明】
【００１８】
１          盤体                                         
１１        第一表面
１２        第二表面                      
１３        収容部
１４        開口部                                      
１５        スリット
１６        連結部                          
２          ボール
３          回転軸
４          盤体                                         
４１        第一表面
４２        第二表面                      
４３        収容部
４４        開口部                                      
４５        組立口
４６        封鎖部材                                  
４７        位置決め突起
４８        端面                                         
４９        連結部
５          ボール                                      
６          回転軸
a           最小径幅                      
a1         最小径幅
ｂ          開口部直径                   
ｂ1        開口部直径
【図１】
0003126781.tif 000003
【図２】
0003126781.tif 000004
【図３】
0003126781.tif 000005
【図４】
0003126781.tif 000006
【図５】
0003126781.tif 000007